(57)【要約】【課題】本発明は、物品の収納部を多様かつ容易に変形できる内設ボードを提供する。【解決手段】物品を載置させる設置ボード２と、この設置ボード２の上面に前記物品を固定する押えフィルム３とを備え、押えフィルム３の端縁に沿って互いに対向する位置に、設置ボード２と押えフィルム３との貼着部Ｓ，Ｓが設けられ、貼着部Ｓ，Ｓ同士の間に物品の収納部２０が形成され、貼着部Ｓ以外の位置に設置ボード２と押えフィルム３とを貼着する区画部３５が設けられ、収納部２０が区画部３５により規定され、区画部３５を取り囲む切り抜き線３６が形成されている。【選択図】図１
2019189342.tif 000002
【特許請求の範囲】
【請求項１】
物品を載置させる設置ボードと、この設置ボードの上面に前記物品を固定する押えフィルムとを備え、
前記押えフィルムの端縁に沿って互いに対向する位置に、前記設置ボードと押えフィルムとの貼着部が設けられ、前記貼着部同士の間に物品の収納部が形成され、
前記貼着部以外の位置に前記設置ボードと前記押えフィルムとを貼着する区画部が設けられ、前記収納部が前記区画部により規定され、
前記区画部を取り囲む切り抜き線が形成されている内設ボード。
【請求項２】
前記区画部の形状がドット状である請求項１に記載の内設ボード。
【請求項３】
前記区画部は、格子状に等間隔で複数設けられている請求項１又は２に記載の内設ボード。
【請求項４】
請求項１から３のいずれか一項に記載の内設ボードと、
この内設ボードを内部に配置可能な外箱とを備えた包装箱。
【発明の詳細な説明】
【技術分野】
【０００１】
本発明は、内設ボード及び包装箱に関する。
【背景技術】
【０００２】
物品を運送する際に物品を包装箱内で移動させて損壊等することを防止するための内設用の部材として、ベースボードに押えシートを貼着した内設ボードが開示されている（例えば、下記特許文献１）。
特許文献１に記載の物品運送用梱包具は、梱包具本体と可撓性フィルムとを有し、可撓性フィルムの互いに対向する端縁が梱包具本体の主面と貼着しており、主面と可撓性フィルムとの間に梱包される物品を挿入可能な収納部が設けられている。そして梱包具本体に設けられた押さえ部により、前記収納部が２つに分けられている。
【先行技術文献】
【特許文献】
【０００３】
【特許文献１】特開２０１６−６４８６０号公報
【発明の概要】
【発明が解決しようとする課題】
【０００４】
特許文献１に記載の梱包具等従来の梱包具は、いずれも利用者が使用する時点で形状や大きさが決まっており、利用者が物品の形状や大きさに合わせて収納部の形状や大きさを変更することはできなかった。
そこで、本発明は、物品の形状及び大きさに応じて収納部を容易に変形又は拡大することができる内設ボードを提供する。
【課題を解決するための手段】
【０００５】
本発明の内設ボードは、物品を載置させる設置ボードと、この設置ボードの上面に前記物品を固定する押えフィルムとを備え、前記押えフィルムの端縁に沿って互いに対向する位置に、前記設置ボードと押えフィルムとの貼着部が設けられ、前記貼着部同士の間に物品の収納部が形成され、前記貼着部以外の位置に前記設置ボードと前記押えフィルムとを貼着する区画部が設けられ、前記収納部が前記区画部により規定され、前記区画部を取り囲む切り抜き線が形成されている。
この構成によれば、区画部を切抜き線で切り抜くことにより、区画部で分けられた又は狭められた収納部を拡大し又は変形することができる。
【０００６】
本発明の内設ボードの前記区画部の形状はドット状であってもよい。
この構成によれば、収納部を規制しつつも、押えフィルムと設置ボードとの貼合わせ部分を出来るだけ小さくして、押えフィルムの設置ボードに対する動きの自由度を維持することができる。また、区画部の切抜きを容易にすることができる。
【０００７】
本発明の内設ボードの前記区画部は、格子状に等間隔で複数設けられていてもよい。
この構成によれば、ユーザーが収納部を自由に設定することができる。
【０００８】
本発明の包装箱は、上記いずれか一の内設ボードと、この内設ボードを内部に配置可能な外箱とを備えている。
この構成によれば、上記いずれかの作用を奏する。
【発明の効果】
【０００９】
本発明の内設ボード及び包装箱は、物品の形状及び大きさに応じて内設ボードの収納部を容易に変形又は拡大することができるという効果を奏する。
【図面の簡単な説明】
【００１０】
【図１】本発明の一実施形態に係る内設ボードを示した平面図である。
【図２】本発明の一実施形態に係る包装箱を示した平面図である。
【図３】本発明の一実施形態に係る内設ボードの他の例を示した平面図である。
【図４】本発明の一実施形態に係る内設ボードの他の例を示した平面図である。
【図５】本発明の一実施形態に係る内設ボードの他の例を示した平面図である。
【図６】本発明の一実施形態に係る包装箱として、外箱に変形例の内設ボードを設置した状態を示した上方斜視図である。
【発明を実施するための形態】
【００１１】
以下、図面を参照して、本発明の内設ボード及び包装箱の一実施形態について説明する。なお、以下の説明で用いる図の各部分の寸法は実際のものと同一とは限らず、適宜変更することができる。
【００１２】
図１に示すように、本発明の一実施形態の内設ボード１は、設置ボード２と、押えフィルム３とを備えている。
また、図２に示すように、本発明の包装箱４は、外箱５と、外箱５の内部に設置される内設ボード１とを備えている。
【００１３】
外箱５は、矩形の底面部６と底面部６の四辺から立ち上がる側面部７とを少なくとも有している。本実施形態では、側面部７の上端開口部１０を開閉自在にする蓋部８を有しているが、側面部７の上端開口部１０を閉塞する手段としては蓋部８に限定されるものではなく、筒状に形成されたスリーブ等が用いられてもかまわない。また、蓋部８を連接している側面部７の両側に隣接する側面部７の上端縁には短フラップ９が連接しているとよい。
また、外箱５は、折り畳んで平坦にした状態で保管するための折り曲げ線（不図示）が形成されているとよい。
【００１４】
図１に示すように、内設ボード１は、略矩形に形成された設置ボード２と、可撓性を有する押えフィルム３とを備えている。
設置ボード２は、梱包対象となる物品（以下単に「物品」という）を載置させる板状部材であり、特に限定されないが、撓ませることが可能な程度に剛性がある紙製又は合成樹脂製等の素材により形成されている。
【００１５】
設置ボード２の長手方向の両端部１５，１５には、短辺２ａに略沿う第１の折り曲げ線１６が設けられている。詳細には、第１の折り曲げ線１６は、短辺２ａからの距離が図２に示す外箱５の側面部７の高さ寸法と略同一になる位置に設けられている。
設置ボード２は、第１の折り曲げ線１６において谷折りにすることにより第１の折り曲げ線１６よりも外側の端部１５を、物品を載置する方の面（以下「上面」という）１８側に折り曲げて起立できるようになっている。端部１５，１５間は、物品の設置時に全体として偏平に設置される物品の載置部分となっている。
【００１６】
第１の折り曲げ線１６は、その延在方向の中間部において設置ボード２の外側、すなわち短辺２ａ側に張り出すように「＜」又は「＞」の形状に僅かに屈曲している。短辺２ａに平行な仮想線Ｌ１に対する第１の折り曲げ線１６の屈曲角度θ１は、１度以上３度以下、好ましくは１．５度以上２．５度以下、最も好ましくは２度である。言い換えると、第１の折り曲げ線１６の成す角θ２は、１７４度以上１７８度以下、好ましくは、１７５度以上１７７度以下、最も好ましくは１７６度である。
なお、第1の折り曲げ線１６が「＜」又は「＞」の形状に屈曲していることは必須ではなく、直線状に形成されていてもよい。
【００１７】
押えフィルム３は、可撓性及び伸縮性のある合成樹脂製のフィルムであり、必須ではないが透明または半透明に形成されている。
押えフィルム３は、設置ボード２の長辺２ｂ方向には設置ボード２の第１の折り曲げ線１６よりも中央寄りの位置に亘って配され、短辺２ａ方向には、長辺２ｂの近傍の端部をわずかに残して略全体を覆うように配されている。
【００１８】
押えフィルム３の設置ボード２に対する張りは、設置ボード２を展開した状態で押えフィルム３が略弛みない程度又は皺が殆ど出ない程度のごく僅かな弛みを残して開口しやすい程度となっている。
設置ボード２の短辺２ａ方向に沿って配されている押えフィルム３の端部３ａは、設置ボード２に貼着されずに解放端となっている。一方、設置ボード２の長辺２ｂ方向に沿って配されている押えフィルム３の端部３ｂ，３ｂには、貼着部Ｓ，Ｓが設けられ、貼着部Ｓにおいて接着テープ又は接着剤により設置ボード２に貼着され、閉じられている。このようにして、内設ボード１には、押えフィルム３と設置ボード２との間に長辺２ｂ方向の両端に開口部３ｅを設けた物品の収納部２０が形成されている。
【００１９】
収納部２０において、貼着部Ｓ以外の部分（すなわち貼着部Ｓに重ならない部分）には、設置ボード２と押えフィルム３とを貼着している区画部３５が設けられている。
区画部３５は、ドット状で、貼着部Ｓから離れた位置に形成されている。
具体的に区画部３５は、収納部２０を収納部２０ａと収納部２０ｂとを分ける直線上に間隔を空けて２つ設けられている。区画部３５，３５間は、区画部３５，３５間で押えフィルム３を張っており、押えフィルム３を設置ボード２から浮き上がらせることができない程度の距離となっている。
【００２０】
区画部３５，３５を通る線１７上では区画部３５，３５により押えフィルム３が設置ボード２から略離間できなくなっており、この構成により設置ボード２の収納部２０を収納部２０ａ，２０ｂに分けている。
設置ボード２には、区画部３５を取り囲むように切り抜き線３６が設けられている。切り抜き線３６に沿って区画部３５を設置ボード２から切り抜くことで、収納部２０ａ，２０ｂが連通可能になっている。
【００２１】
区画部３５の形状は、図１では円であるが、四角、三角、楕円等どのような形状であってもよい。
また、切り抜き線３６の形状は、区画部３５を完全に取り囲んでいれば、円、四角、三角、楕円、ハート、星等のどのような形状であってもよい。
設置ボード２に設ける複数の区画部３５及び複数の切り抜き線３６の大きさや形状は、全て同じではなく、それぞれが異なっていてもよい。
【００２２】
次に、内設ボード１に物品を梱包する方法、その作用及び機能について説明する。
内設ボード１に物品を梱包するには、物品の形状、大きさが各収納部２０ａ，２０ｂに入るものであれば、内設ボード１をそのまま使用して、物品を挿入する。具体的には、区画部３５，３５のいずれも切り抜くことなく、設置ボード２の偏平な物品の載置部分を若干撓ませて、押えフィルム３を弛ませた状態にして、設置ボード２と押えフィルム３との間（収納部２０の端部３ａ）から各収納部２０ａ，２０ｂにそれぞれ物品を挿入する。
【００２３】
物品の大きさが各収納部２０ａ，２０ｂより大きい場合は、物品の形状又は大きさに応じて、例えば切り抜き線３６，３６の双方に沿って、区画部３５，３５を設置ボード２の裏面から指で押して切り取り、設置ボード２から分離する。
【００２４】
押えフィルム３は、切り抜き線やスリット等を有しておらず、押しただけでは破れないようになっている。したがって、押えフィルム３は、区画部３５を設置ボード２から切り抜いた際に、切り取られた設置ボード２の破片として区画部３５を貼着させたまま、区画部３５，３５があった箇所において設置ボード２に対してフリーになる。
なお、設置ボード２から切り抜かれた区画部３５は、設置ボード２の破片としてゴミにならず、その形状によって押えフィルム３に貼り付けた装飾とすることができる。
【００２５】
以上のように、内設ボード１は、切り取り線３６で区画部３５を切り抜くだけで、分割されていた収納部２０ａ，２０ｂを極めて簡便に連通させ、収納部を貼着部Ｓ，Ｓ間の全体に拡大することができるという効果を奏する。
なお、区画部３５，３５のいずれか一方を設置ボード２から切り抜いた場合には、物品をＵ字状に収納できる収納部２０となる。
以上のようにして、物品の大きさによって収納部２０ａ，２０ｂを拡大又は変形させた収納部２０に物品を挿入する。
【００２６】
端部１５は、第１の折り曲げ線１６において上面１８側から視て谷折りにして起立させ、外箱５内に収納する。
【００２７】
この際、第１の折り曲げ線１６は「＜」及び「＞」形状に形成されているため、端部１５を手で支えることなく立ち上がらせておくことが難しい。すなわち、第１の折り曲げ線１６は、端部１５を押えていないと端部１５を平坦に寝かせてしまう形状となっているため、端部１５をしっかりと保持した状態で、外箱５内に収納する。
【００２８】
このようにして内設ボード１を外箱５に収納すると、起立した端部１５は、平坦に戻ろうとする（即ち弾性復帰しようとする）ため、外箱５の側面部７を押しながら配置され、外箱５の内側にしっかりと固定される。
【００２９】
また、端部１５の高さ寸法、すなわち第１の折り曲げ線１６から短辺２ａまでの寸法は、外箱５の側面部７の高さと略同じに形成されているため、内設ボード１を外箱５内に配置した際に、蓋部８又は側面部７上端の短フラップ９で外箱５の上端開口部１０を閉じた際に、端部１５の上端が短フラップ９等に当たる。したがって内設ボード１が上下方向に動くことを防止することができる。
【００３０】
このように、本発明の内設ボード１及び包装箱４によれば、物品の形状、大きさに応じて、収納部２０の収納部２０ａ，２０ｂを容易に拡大又は変形して、１種の内設ボードで異なる形状や大きさを有する物品に合わせて物品を収納することができる。
また、本発明の内設ボード１及び包装箱４は、収納部２０ａ，２０ｂの周囲をポイント的に貼着しているため、各収納部２０ａ，２０ｂの周りを帯状に連続的に貼着するよりも、押えフィルム３について動きの自由度を担保し、小さく分割された収納部２０ａ，２０ｂの嵩をできるだけ高くして使用することができる。
【００３１】
また、設置ボード２から区画部３５を切り抜いた際に、区画部３５を設置ボード２の破片としてゴミにすることを回避し、押えフィルム３に貼り付けた装飾とすることができるという効果を奏する。
【００３２】
なお、区画部３５を形成する箇所は、図１に示す位置に限らず、図３に示すように、貼着部Ｓ，Ｓに略直交する方向に延びる帯上に間隔を空けて複数（本実施形態の変形例においては３箇所）設けてもよい。本変形例の内設ボード１は、具体的には、区画部３５を貼着部Ｓの延在方向の略中央部で貼着部Ｓ，Ｓを結ぶ帯上に設けている。
この構成により、押えフィルム３の端部３ａに沿って長手方向が形成された収納部２０ａ，２０ｂが形成される。
【００３３】
また、図４に示すように、内設ボード１は、区画部３５及び切り抜き線３６を長辺２ｂ,２ｂに沿って且つ貼着部Ｓの近傍に４個ずつ設け、更に貼着部Ｓ，Ｓ間の略中央部に長辺２ｂに沿って３個設けていてもよい。
【００３４】
この構成により、図４に示した内設ボード１は、図１の内設ボード１に比べて収納部２０ａ，２０ｂを狭くして用いることができる。そして、図４に示す内設ボード１は、貼着部Ｓ，Ｓのいずれか一方の近傍の区画部３５を切り抜くことにより、収納部２０ａ又は収納部２０ｂのいずれか一方について、図１の内設ボード１の収納部２０ａ，２０ｂと略同様の大きさに拡大することができる。
【００３５】
図４に示す内設ボード１の貼着部Ｓ，Ｓの双方の近傍の区画部３５を全て切り抜いた場合には、収納部２０ａ，２０ｂの双方について図１の内設ボード１の収納部２０ａ，２０ｂと同様の大きさに拡大することもできる。
【００３６】
更に、図４に示す内設ボード１は、貼着部Ｓ，Ｓ間の略中央の区画部３５のみを設置ボード２から切り抜くことにより、図１の内設ボード１の収納部２０ａ，２０ｂを連通させた場合よりもやや小さい収納部２０を形成することができるという効果を奏する。
また、この場合にも、貼着部Ｓ，Ｓの一方又は双方の近傍の区画部３５を設置ボード２から切り抜くことにより連通させた収納部２０の面積を適宜拡大することができる。
【００３７】
また、図４に示す内設ボード１は、貼着部Ｓ，Ｓ間の略中央に設けた区画部３５を押えフィルム３の一方の開口部３ｅの近傍に設けないようにしたことにより、同開口部３ｅが開け易くなっている。
【００３８】
このように、図４に示す内設ボード１は、収納部２０を収納部２０ａ，２０ｂの２つに分けかつそれぞれの面積を規制するだけでなく、各収納部２０ａ，２０ｂを拡大したり、連結し更に連結後の収納部２０の面積を拡大したりすることができるという効果を奏する。
【００３９】
また、図５に示すように、内設ボード１は、区画部３５及び切り抜き線３６を収納部２０内であって貼着部Ｓ，Ｓ間に均等に分布するように設けてもよい。具体的には、例えば、区画部３５は、貼着部Ｓ，Ｓ間においてほぼ均等に間隔を空けて、押えフィルム３の端部３ａ及び貼着部Ｓに平行な格子状に設けられる線の交差点上に設けられていてもよい。
本実施例の内設ボード１は、端部３ａに沿って隣り合う区画部３５，３５同士の間に、長辺２ｂに沿って細長い例えば棒状の物品等を収納することができる。
【００４０】
また、本実施例の内設ボード１は、物品の形状及び大きさに応じていずれかの区画部３５を切り抜いて、任意の形状又は大きさの収納部２０を形成することができる。具体的には例えば、一方の長辺２ｂに沿って隣り合う３つの区画部３５を設置ボード２から切り抜き、一端部３ａ側の開放端から３つ目の区画部３５に端部３ａに沿って隣り合う区画部３５を２つ切り抜く。そうすると、図５に仮想線で示すように、Ｌ字型の収納部２０が形成される。
【００４１】
このように、図５に示す内設ボード１によれば、任意の区画部３５を設置ボード２から切り抜くことにより、所望の大きさ及び形状の収納部２０を自在に形成することができるという効果を奏する。
【００４２】
また更に、図６に示すように、内設ボード１は、設置ボード２の一部を折り曲げて突条部４０を形成し、分割された収納部２０ａ，２０ｂのうちの収納部２０ｂを、区画部３５により更に収納部２０ｃ，２０ｄに区画したものであってもよい。
【００４３】
なお、区画部３５が貼着部Ｓ，Ｓ間や押えフィルム３の端部３ａ，３ａ間に亘って連続的に形成されると、その区画部３５が切り抜かれた際に、設置ボード２が短辺２ａ又は長辺２ｂに亘って大きく切り抜かれてしまい、物品を安定して収納できなくなる虞がある。従って、区画部３５の形成は、貼着部Ｓ，Ｓ間や収納部２０の端部３ａ，３ａ間に亘って連続的に設けないことが好ましい。
【００４４】
また、図１に示すように、内設ボード１には、長辺２ｂに沿う端部２９、すなわち短手方向の両端部２９を折り畳むことを可能とする第４の折り曲げ線２５が設けられていてもよい。
【００４５】
第４の折り曲げ線２５は、設置ボード２の短手方向の端部２９を設置ボード２の上面１８側又は下面１９側に折り曲げるための線であり、短辺２ａ間に亘って設けられている。
この場合、押えフィルム３は、設置ボード２の長手方向には第１の実施形態と同様に、短手方向には、端部が第４の折り曲げ線２５を覆って長辺２ｂの近傍まで覆っている。押えフィルム３は、長辺２ｂの近傍の貼着部Ｓにおいて長手方向に沿って接着剤等により設置ボード２に貼着されている。
【００４６】
このような第４の折り曲げ線２５が設けられている場合、区画部３５は、第４の折り曲げ線２５に重ならないように、第４の折り曲げ線２５，２５の内側で、上記実施形態及び各変形例で示したように設けるとよい。
【００４７】
内設ボード１に物品を収納するには、端部２９を立ち上げることにより押えフィルム３を弛ませ、物品を設置ボード２と押えフィルム３との間の収納部２０に挿入する。端部２９は、第４の折り曲げ線２５において折り曲げ、設置ボード２の下面１９側に折り畳む。そうすると、押えフィルム３の貼着部Ｓ，Ｓ間の方向に押えフィルム３が引っ張られ、物品が設置ボード２に強く押さえ付けられる。
【００４８】
この状態で、更に第１の折り曲げ線１６に沿う端部１５を立ち上げると、端部２９の長手方向の両端２９Ｔ（すなわち端部１５と交わる部分）が端部１５の下面１９に回り込んだ状態で端部１５と共に立ち上がる。したがって、端部２９の全体が浮くことなく下面１９にぴったりと押し付けられる状態になるため、押えフィルム３の張りが一層強くなり、物品の押えがより確実となる。
【００４９】
また、内設ボード１は、押えフィルム３と設置ボード２との貼着部Ｓが設置ボード２の下面１９側に回り込み、押えフィルム３が第４の折り曲げ線２５において一旦留められるため、押えフィルム３に強いテンションが掛かっても、押えフィルム３の貼着部Ｓが設置ボード２から剥離するということを防止することができる。
【符号の説明】
【００５０】
１    内設ボード
２    設置ボード
３    押えフィルム
４    包装箱
５    外箱
２０  収納部
２０ａ，２０ｂ  収納部
３５  区画部
３６  切り抜き線
Ｓ    貼着部
【図１】
2019189342.tif 000003
【図２】
2019189342.tif 000004
【図３】
2019189342.tif 000005
【図４】
2019189342.tif 000006
【図５】
2019189342.tif 000007
【図６】
2019189342.tif 000008